(57)【要約】【課題】  搬送経路上にてシート状の媒体を１枚ずつ搬送する媒体搬送装置において、搬送経路上に複数枚の媒体が搬送されてきた場合に、装置を停止させずに媒体を回収する。【解決手段】  コンベヤー１０上にてシート状媒体を１枚ずつ搬送する媒体搬送装置において、コンベヤー１０におけるシート状媒体の搬送面に対向する領域に設けられ、該搬送面との間隔がシート状媒体２枚分の厚さとなる領域を具備し、シート状媒体が接した場合にシート状媒体を吸着して搬送する回収ローラ３０を有する。【選択図】図１
2006062759.tif 000002
【特許請求の範囲】
【請求項１】
シート状の媒体が搬送される搬送経路を有し、該搬送経路上にて前記媒体を１枚ずつ搬送する媒体搬送装置であって、
前記搬送経路における前記媒体の搬送面に対向して設けられ、該搬送面との間隔が前記媒体２枚分の厚さとなる領域を具備し、前記媒体が接した場合に該媒体を吸着して搬送する回収手段を有する媒体搬送装置。
【請求項２】
請求項１に記載の媒体搬送装置において、
前記回収手段は、吸着した媒体を前記搬送経路における前記媒体の搬送方向下流側から上流側に向かって搬送し、かつ、前記搬送面との間隔が、前記媒体２枚分の厚さとなる領域から前記搬送方向上流側が広くなるように設けられていることを特徴とする媒体搬送装置。
【請求項３】
請求項１または請求項２に記載の媒体搬送装置において、
前記回収手段は、吸引によって前記媒体を吸着する第１の吸引手段を有し、
前記搬送経路には、前記搬送面に前記媒体を吸引する第２の吸引手段が設けられていることを特徴とする媒体搬送装置。
【発明の詳細な説明】
【技術分野】
【０００１】
本発明は、カード等のシート状の媒体を搬送する媒体搬送装置に関し、特に、搬送経路上にてシート状の媒体を１枚ずつ搬送する媒体搬送装置に関する。
【背景技術】
【０００２】
近年、情報化社会の進展に伴い、カード等の情報記録媒体に所定の情報を書き込み、情報が書き込まれたカードによって個人認証を行うサービスやショッピングを利用可能とするサービス等が行われている。このようなサービスにおいては、予め所定のカードにその用途に応じて決められた情報を書き込んでおき、サービスを利用する場合に、カードに書き込まれた情報を読み取り、読み取った情報を用いてサービスの提供が行われる。
【０００３】
このような情報が書き込まれるカードとしては、様々なものが挙げられるが、最も簡単な構造のものとして表面に情報が印字されただけのものから、構造的に複雑なものとしてＩＣが埋め込まれたＩＣカード等がある。これらのカードにおいては、書き込まれた情報が、カードに対する情報の書き込み方法に応じた読み取り方法によって読み取られることになる。例えば、表面にバーコード情報が印字されたカードにおいては、表面にバーコードリーダを翳すことによりバーコードとして書き込まれた情報が読み取られ、また、表面に磁気ストライプが貼付されたカードにおいては、磁気により情報を読み取る専用の読取装置によって磁気ストライプに書き込まれた情報が読み取られ、さらに、ＩＣが埋め込まれたカードにおいては、ＩＣから電気的に情報を読み取る専用の読取装置によってＩＣに書き込まれた情報が読み取られる。
【０００４】
上述した様々なカードにおいては、製造時や所定の検査時にコンベヤー等の搬送経路上を１枚ずつ搬送されることになるが、カードが搬送経路上にフィードされる際、静電気等の影響によって複数枚のカードが重ね合わされた状態で搬送経路上にフィードされてしまう場合があり、その場合、検査等の次の工程が正常に行われなくなってしまう虞れがある。
【０００５】
ここで、カードの搬送経路上に、カード１枚分の厚さの間隔を介して２つのローラを設置し、この２つのローラのうち一方のローラを固定とするとともに、他方のローラを可動状態とし、この可動状態のローラの回転軸に繋がるリンク棒の揺動量をセンサにて検知することによって、搬送経路上にカードが複数枚重ね合わされた状態で搬送されてきた場合にそれを検知する装置が考えられている（例えば、特許文献１参照。）。この技術を用いれば、カードが搬送経路上に１枚ずつフィードされる際に、静電気等の影響によって複数枚のカードが重ね合わされた状態で搬送経路上にフィードされてしまった場合、それを検知することができる。
【特許文献１】特開２００２−８７６４２号公報
【発明の開示】
【発明が解決しようとする課題】
【０００６】
しかしながら、上述したように、カード１枚分の厚さの間隔を介して２つのローラを設置し、この２つのローラのうち一方のローラを固定とするとともに、他方のローラを可動状態とし、この可動状態のローラの回転軸に繋がるリンク棒の揺動量をセンサにて検知することによって、搬送経路上にカードが複数枚重ね合わされた状態で搬送されてきた場合にそれを検知する装置においては、搬送経路上にカードが複数枚重ね合わされた状態で搬送されてきた場合にそれを検知することはできるものの、重ね合わされた複数枚のカードのうち上面側に重ねられたカードを回収するために装置を停止させなければならず、作業効率が悪いという問題点がある。
【０００７】
本発明は、上述したような従来の技術が有する問題点に鑑みてなされたものであって、搬送経路上にてシート状の媒体を１枚ずつ搬送する媒体搬送装置において、搬送経路上に複数枚の媒体が搬送されてきた場合に、装置を停止させずに媒体を回収することができる媒体搬送装置を提供することを目的とする。
【課題を解決するための手段】
【０００８】
上記目的を達成するために本発明は、
シート状の媒体が搬送される搬送経路を有し、該搬送経路上にて前記媒体を１枚ずつ搬送する媒体搬送装置であって、
前記搬送経路における前記媒体の搬送面に対向して設けられ、該搬送面との間隔が前記媒体２枚分の厚さとなる領域を具備し、前記媒体が接した場合に該媒体を吸着して搬送する回収手段を有する。
【０００９】
また、前記回収手段は、吸着した媒体を前記搬送経路における前記媒体の搬送方向下流側から上流側に向かって搬送し、かつ、前記搬送面との間隔が、前記媒体２枚分の厚さとなる領域から前記搬送方向上流側が広くなるように設けられていることを特徴とする。
【００１０】
また、前記回収手段は、吸引によって前記媒体を吸着する第１の吸引手段を有し、
前記搬送経路には、前記搬送面に前記媒体を吸引する第２の吸引手段が設けられていることを特徴とする。
【００１１】
上記のように構成された本発明においては、シート状の媒体が搬送経路上を搬送されてくると、搬送経路における媒体の搬送面に対向して設けられた回収手段と対向する。ここで、回収手段は、搬送経路における媒体の搬送面との間隔が媒体２枚分の厚さとなる領域を有しているため、搬送経路上に複数枚の媒体が重ね合わされて搬送されてきた場合に、重ね合わされた複数枚の媒体のうち上面側となる媒体に接することになる。すると、回収手段に接した媒体が、回収手段に吸着されて搬送されていく。
【００１２】
このように、搬送経路上に複数枚の媒体が重ね合わされて搬送されてきた場合に、重ね合わされた複数枚の媒体のうち上面側となる媒体が回収手段に吸着されて搬送されていくので、搬送経路上に複数枚の媒体が重ね合わされて搬送されてきた場合に、装置を停止させずに媒体を回収することができる。
【発明の効果】
【００１３】
以上説明したように本発明においては、搬送経路上に複数枚の媒体が重ね合わされて搬送されてきた場合に、重ね合わされた複数枚の媒体のうち上面側となる媒体が回収手段に吸着されて搬送されていく構成としたため、搬送経路上に複数枚の媒体が重ね合わされて搬送されてきた場合に、装置を停止させずに媒体を回収することができる。また、回収される媒体は、回収手段にて吸着されて搬送されていくため、傷を付けずに媒体を回収することができる。
【００１４】
また、回収手段において、吸着した媒体を搬送経路における媒体の搬送方向下流側から上流側に向かって搬送し、かつ、回収手段と搬送面との間隔が、媒体２枚分の厚さとなる領域から媒体の搬送方向上流側が広くなっているものにおいては、搬送経路上に３枚以上の媒体が重ね合わされて搬送されてきた場合であっても、搬送経路における媒体の搬送に伴って、最も上面側となる媒体から順次回収手段にて回収することができる。
【００１５】
また、回収手段が、吸引によって媒体を吸着する第１の吸引手段を有するものである場合に、搬送面に媒体を吸引する第２の吸引手段が搬送経路に設けられているものにおいては、シート状の媒体のような厚さが薄いものであっても、重ね合わされた複数枚の媒体のうち上面側となる媒体のみを、第１の吸引手段における吸引力を精細に制御することなく確実に回収することができる。
【発明を実施するための最良の形態】
【００１６】
以下に、本発明の実施の形態について図面を参照して説明する。
【００１７】
（第１の実施の形態）
図１は、本発明の媒体搬送装置の第１の実施の形態を示す図であり、（ａ）は外観斜視図、（ｂ）は（ａ）に示した矢印Ａ方向から見た図である。
【００１８】
本形態は図１に示すように、所定の領域からフィードされたシート状媒体の搬送経路を形成し、この搬送経路上にてシート状媒体を搬送するコンベヤー１０と、搬送経路におけるシート状媒体の搬送面となるコンベヤー１０のベルト面に対向する領域に、このベルト面に対してシート状媒体２枚分の厚さの間隔を介して設けられ、コンベヤー１０上を搬送されてきたシート状媒体が接した場合にシート状媒体を吸着して搬送する回収手段である回収ローラ２０と、回収ローラ２０にて吸着されて搬送されてきたシート状媒体が収納される収納容器３０とから構成されている。なお、コンベヤー１０と回収ローラ２０とは互いに異なる方向に回転し、それにより、回収ローラ２０は、吸着したシート状媒体を、コンベヤー１０におけるシート状媒体の搬送方向下流側から上流側に向かって搬送することになる。また、回収ローラ２０には、ローラ面の全周に渡って吸引穴２１が形成されているとともに、内部には、この吸引穴２１を介して外部から内部に空気を吸引する第１の吸引手段であるバキューム部２２と、吸引穴２１を介してのバキューム部２２による吸引力を規制するための規制部材である規制板２３とが設けられている。また、コンベヤー１０には、ベルト面の全周に渡って吸引穴１１が形成されているとともに、内部には、コンベヤー１０のベルト面のうちシート状媒体が搬送される領域のみについて吸引穴１１を介して外部から内部に空気を吸引する第２の吸引手段であるバキューム部１２が設けられている。
【００１９】
上記のように構成された媒体搬送装置においては、所定の領域からシート状媒体が１枚ずつコンベヤー１０上にフィードされ、コンベヤー１０の回転動作に伴って、次の工程を行う領域に搬送されていく。
【００２０】
以下に、上記のように構成された媒体搬送装置におけるシート状媒体の搬送動作について詳細に説明する。
【００２１】
図２は、図１に示した媒体搬送装置におけるシート状媒体の搬送動作を説明するための図であり、シート状媒体としてカードを搬送する際の搬送動作を示す。
【００２２】
所定の領域からカード１ａがコンベヤー１０上にフィードされると、コンベヤー１０上にフィードされたカード１ａは、コンベヤー１０のベルト面に設けられた吸引穴１１を介してバキューム部１２によって搬送面となるコンベヤー１０のベルト面に吸着されながらコンベヤー１０の回転動作に伴ってコンベヤー１０上を搬送されていく（図２（ａ））。
【００２３】
コンベヤー１０上にフィードされたカード１ａがコンベヤー１０上を搬送されていくと、次に、２枚目のカード１ｂがコンベヤー１０上にフィードされる。このようにして、コンベヤー１０上にカードが１枚ずつフィードされ、順次搬送されていくことになる。コンベヤー１０上を搬送されてきたカード１ａは、回収ローラ２０と対向する領域に到達する。この際、回収ローラ２０が、カードの搬送面となるコンベヤー１０のベルト面に対してカード２枚分の厚さの間隔を介して設けられているため、カード１ａは回収ローラ２０に接することなく、コンベヤー１０上を搬送されていく（図２（ｂ））。
【００２４】
次に、３枚目のカード１ｃがコンベヤー１０上にフィードされる。この際、カード１ｃ上にカード１ｄが重なり、２枚のカード１ｃ，１ｄが重なり合った状態でコンベヤー１０上にフィードされたものとする（図２（ｃ））。
【００２５】
重なり合った２枚のカード１ｃ，１ｄは、コンベヤー１０のベルト面に接する側となるカード１ｃが、コンベヤー１０のベルト面に設けられた吸引穴１１を介してバキューム部１２によってコンベヤー１０のベルト面に吸着されながらコンベヤー１０の回転動作に伴ってコンベヤー１０上を搬送されていく。
【００２６】
そして、重なり合った２枚のカード１ｃ，１ｄが、回収ローラ２０と対向する領域に到達すると、回収ローラ２０が、コンベヤー１０のベルト面に対してカード２枚分の厚さの間隔を介して設けられているため、重なり合った２枚のカード１ｃ，１ｄのうち上面側となるカード１ｄが回収ローラ２０と接する（図２（ｄ））。すると、カード１ｄが、回収ローラ２０のローラ面に設けられた吸引穴２１を介してバキューム部２２によって回収ローラ２０のローラ面に吸着され、回収ローラ２０の回転動作に伴って、コンベヤー１０におけるカードの搬送方向下流側から上流側に向かって搬送されていく（図２（ｅ））。一方、重なり合った２枚のカード１ｃ，１ｄのうち、コンベヤー１０のベルト面に接する側となるカード１ｃは、コンベヤー１０のベルト面に設けられた吸引穴１１を介してバキューム部１２によってコンベヤー１０のベルト面に吸着されたままコンベヤー１０の回転動作に伴ってコンベヤー１０上を搬送されていく。
【００２７】
その後、回収ローラ２０のローラ面に設けられた吸引穴２１を介してバキューム部２２によって回収ローラ２０のローラ面に吸着されながら搬送されたカード１ｄが、このカード１ｄが収納容器３０に収納される領域に到達すると、この領域においては規制板２３によって吸引穴２１が塞がれているため、バキューム部２２による吸着力が規制板２３によって規制され、それにより、カード１ｄが回収ローラ２０から離脱し、収納容器３０内に収納され、回収されることになる（図２（ｆ））。
【００２８】
なお、本形態においては、回収ローラ２０内にバキューム部２２を設けるとともに、回収ローラ２０のローラ面の全周に吸引穴２１を形成し、バキューム部２２にて吸引穴２１を介して外部から内部に空気を吸引することによって、回収ローラ２０のローラ面に接したカードを吸引しているが、回収ローラ２０のローラ面に粘着剤を塗布しておき、回収ローラ２０のローラ面に接したカードをこの粘着剤によって吸着し、回収することも考えられる。その場合、収納容器３０におけるカードの挿入口の一辺を回収ローラ２０のローラ面に当接させておき、回収ローラ２０のローラ面に吸着して搬送されてきたカードをこの一辺にて掻き取るようにして回収ローラ２０から離脱させ、収納容器３０に収納することになる。また、その場合、コンベヤー１０のベルト面の全周に吸引穴１１を形成するとともに、コンベヤー１０の内部に吸引穴１１を介して外部から内部に空気を吸引するバキューム部１２を設け、コンベヤー１０上を搬送されるカードをコンベヤー１０のベルト面に吸着する必要はない。
【００２９】
（第２の実施の形態）
図３は、本発明の媒体搬送装置の第２の実施の形態を示す図であり、（ａ）は外観斜視図、（ｂ）は（ａ）に示した矢印Ａ方向から見た図である。
【００３０】
本形態は図３に示すように、所定の領域からフィードされたシート状媒体の搬送経路を形成し、この搬送経路上にてシート状媒体を搬送するコンベヤー１１０と、搬送経路におけるシート状媒体の搬送面となるコンベヤー１１０のベルト面に対向して設けられ、このベルト面との間隔がシート状媒体２枚分の厚さとなる領域を有し、コンベヤー１１０上を搬送されてきたシート状媒体が接した場合にシート状媒体を吸着して搬送する回収手段であるコンベヤー１２０と、コンベヤー１２０にて吸着されて搬送されてきたシート状媒体が収納される収納容器１３０とから構成されている。なお、コンベヤー１１０，１２０は互いに異なる方向に回転し、それにより、コンベヤー１２０は、吸着したシート状媒体を、コンベヤー１１０におけるシート状媒体の搬送方向下流側から上流側に向かって搬送することになる。また、コンベヤー１１０とコンベヤー１２０との間隔は、互いに最も近接する領域においてもシート媒体１枚分の厚さよりも広く、また、シート状媒体２枚分の厚さとなる領域からコンベヤー１１０におけるシート状媒体の搬送方向上流側が広くなっている。また、コンベヤー１２０には、ベルト面の全周に渡って吸引穴１２１が形成されているとともに、内部には、コンベヤー１２０のベルト面のうちコンベヤー１１０に対向する側のみについて吸引穴１２１を介して外部から内部に空気を吸引する第１の吸引手段であるバキューム部１２２が設けられている。また、コンベヤー１１０には、ベルト面の全周に渡って吸引穴１１１が形成されているとともに、内部には、コンベヤー１１０のベルト面のうちシート状媒体が搬送される領域のみについて吸引穴１１１を介して外部から内部に空気を吸引する第２の吸引手段であるバキューム部１１２が設けられている。
【００３１】
上記のように構成された媒体搬送装置においては、所定の領域からシート状媒体が１枚ずつコンベヤー１１０上にフィードされ、コンベヤー１１０の回転動作に伴って、次の工程を行う領域に搬送されていく。
【００３２】
以下に、上記のように構成された媒体搬送装置におけるシート状媒体の搬送動作について詳細に説明する。
【００３３】
図４は、図３に示した媒体搬送装置におけるシート状媒体の搬送動作を説明するための図であり、シート状媒体としてカードを搬送する際の搬送動作を示す。
【００３４】
所定の領域からカード１０１ａがコンベヤー１１０上にフィードされると、コンベヤー１１０上にフィードされたカード１０１ａは、コンベヤー１１０のベルト面に設けられた吸引穴１１１を介してバキューム部１１２によって、搬送面となるコンベヤー１１０のベルト面に吸着されながらコンベヤー１１０の回転動作に伴ってコンベヤー１１０上を搬送されていく（図４（ａ））。
【００３５】
コンベヤー１１０上にフィードされたカード１０１ａがコンベヤー１１０上を搬送されていくと、次に、２枚目のカード１０１ｂがコンベヤー１１０上にフィードされる。このようにして、コンベヤー１１０上にカードが１枚ずつフィードされ、順次搬送されていくことになる。コンベヤー１１０上を搬送されてきたカード１０１ａは、コンベヤー１１０とコンベヤー１２０とが最も近接する領域に到達する。この際、コンベヤー１１０とコンベヤー１２０との間隔が、カード１枚分の厚さよりも広いため、カード１０１ａはコンベヤー１２０に接することなく、コンベヤー１１０上を搬送されていく（図４（ｂ））。
【００３６】
次に、３枚目のカード１０１ｃがコンベヤー１１０上にフィードされる。この際、カード１０１ｃ上にカード１０１ｄが重なり、２枚のカード１０１ｃ，１０１ｄが重なり合った状態でコンベヤー１１０上にフィードされたものとする（図４（ｃ））。
【００３７】
重なり合った２枚のカード１０１ｃ，１０１ｄは、コンベヤー１１０のベルト面に接する側となるカード１０１ｃが、コンベヤー１１０のベルト面に設けられた吸引穴１１１を介してバキューム部１１２によってコンベヤー１１０のベルト面に吸着されながらコンベヤー１１０の回転動作に伴ってコンベヤー１１０上を搬送されていく。
【００３８】
そして、重なり合った２枚のカード１０１ｃ，１０１ｄが、コンベヤー１１０とコンベヤー１２０との間隔がカード２枚分の厚さとなる領域に到達すると、重なり合った２枚のカード１０１ｃ，１０１ｄのうち上面側となるカード１０１ｄがコンベヤー１２０と接する（図４（ｄ））。すると、カード１０１ｄが、コンベヤー１２０のベルト面に設けられた吸引穴１２１を介してバキューム部１２２によってコンベヤー１２０のベルト面に吸着され、コンベヤー１２０の回転動作に伴って、コンベヤー１１０におけるカードの搬送方向下流側から上流側に向かって搬送されていく（図４（ｅ））。一方、重なり合った２枚のカード１０１ｃ，１０１ｄのうち、コンベヤー１１０のベルト面に接する側となるカード１０１ｃは、コンベヤー１１０のベルト面に設けられた吸引穴１１１を介してバキューム部１１２によってコンベヤー１１０のベルト面に吸着されたままコンベヤー１１０の回転動作に伴ってコンベヤー１１０上を搬送されていく。
【００３９】
その後、コンベヤー１２０のベルト面に設けられた吸引穴１２１を介してバキューム部１２２によってコンベヤー１２０のベルト面に吸着されながら搬送されたカード１０１ｄがコンベヤー１２０の一端部に到達すると、バキューム部１２２による吸着力が作用しなくなり、カード１０１ｄがコンベヤー１２０から離脱し、収納容器１３０内に収納され、回収されることになる（図４（ｆ））。
【００４０】
以下に、図３に示した媒体搬送装置においてコンベヤー１１０上に３枚のカードが重なり合ってフィードされた場合の動作について説明する。
【００４１】
図５は、図３に示した媒体搬送装置においてコンベヤー１１０上に３枚のカードが重なり合ってフィードされた場合の動作を説明するための図である。
【００４２】
所定の領域からカード１０１ｈがコンベヤー１１０上にフィードされた際に、このカード１０１ｈ上にさらに２枚のカード１０１ｉ，１０１ｊが重なり、３枚のカード１０１ｈ，１０１ｉ，１０１ｊが重なり合った状態で、コンベヤー１１０にフィードされた場合（図５（ａ））、重なり合ったカード１０１ｈ，１０１ｉ，１０１ｊは、コンベヤー１１０のベルト面に接する側となるカード１０１ｈが、コンベヤー１１０のベルト面に設けられた吸引穴１１１を介してバキューム部１１２によってコンベヤー１１０のベルト面に吸着されながらコンベヤー１１０の回転動作に伴ってコンベヤー１１０上を搬送されていく。
【００４３】
重なり合った３枚のカード１０１ｈ，１０１ｉ，１０１ｊがコンベヤー１１０上を搬送されていくと、コンベヤー１１０とコンベヤー１２０との間隔が、コンベヤー１１０とコンベヤー１２０との間隔がカード２枚分の厚さとなる領域からコンベヤー１１０におけるシート状媒体の搬送方向上流側が広くなっているため、重なり合った３枚のカード１０１ｈ，１０１ｉ，１０１ｊが、コンベヤー１１０とコンベヤー１２０との間隔がカード３枚分の厚さとなる領域に到達した際に、互いに重なり合った３枚のカード１０１ｈ，１０１ｉ，１０１ｊのうち最も上面側となるカード１０１ｊがコンベヤー１２０と接する（図５（ｂ））。すると、カード１０１ｊが、コンベヤー１２０のベルト面に設けられた吸引穴１２１を介してバキューム部１２２によってコンベヤー１２０のベルト面に吸着され、コンベヤー１２０の回転動作に伴って、コンベヤー１１０におけるカードの搬送方向下流側から上流側に向かって搬送されていく。一方、重なり合った３枚のカード１０１ｈ，１０１ｉ，１０１ｊのうち、コンベヤー１２０のベルト面に吸着されなかったカード１０１ｈ，１０１ｉは、カード１０１ｈが、コンベヤー１１０のベルト面に設けられた吸引穴１１１を介してバキューム部１１２によってコンベヤー１１０のベルト面に吸着されたままコンベヤー１１０の回転動作に伴ってコンベヤー１１０上を搬送されていく。
【００４４】
そして、重なり合った２枚のカード１０１ｈ，１０１ｉが、コンベヤー１１０とコンベヤー１２０との間隔がカード２枚分となる領域に到達すると、重なり合った２枚のカード１０１ｈ，１０１ｉのうち上面側となるカード１０１ｉがコンベヤー１２０と接する（図５（ｃ））。すると、カード１０１ｉが、コンベヤー１２０のベルト面に設けられた吸引穴１２１を介してバキューム部１２２によってコンベヤー１２０のベルト面に吸着され、コンベヤー１２０の回転動作に伴って、コンベヤー１１０におけるカードの搬送方向下流側から上流側に向かって搬送されていく（図５（ｄ））。一方、重なり合った２枚のカード１０１ｈ，１０１ｉのうち、コンベヤー１１０のベルト面に接する側となるカード１０１ｈは、コンベヤー１１０のベルト面に設けられた吸引穴１１１を介してバキューム部１１２によってコンベヤー１１０のベルト面に吸着されたままコンベヤー１１０の回転動作に伴ってコンベヤー１１０上を搬送されていく。また、コンベヤー１２０のベルト面に設けられた吸引穴１２１を介してバキューム部１２２によってコンベヤー１２０のベルト面に吸着されながら搬送されたカード１０１ｊが、コンベヤー１２０の一端部に到達すると、バキューム部１２２による吸着力が作用しなくなり、カード１０１ｊがコンベヤー１２０から離脱し、収納容器１３０内に収納され、回収される。
【００４５】
その後、コンベヤー１２０のベルト面に設けられた吸引穴１２１を介してバキューム部１２２によってコンベヤー１２０のベルト面に吸着されながら搬送されたカード１０１ｉが、コンベヤー１２０の一端部に到達すると、バキューム部１２２による吸着力が作用しなくなり、カード１０１ｉがコンベヤー１２０から離脱し、収納容器１３０内に収納され、回収されることになる（図５（ｅ））。
【００４６】
なお、本形態においては、コンベヤー１２０内にバキューム部１２２を設けるとともに、コンベヤー１２０のベルト面の全周に吸引穴１２１を形成し、バキューム部１２２にて吸引穴１２１を介して外部から内部に空気を吸引することによって、コンベヤー１２０のベルト面に接したカードを吸引しているが、コンベヤー１２０のベルト面に粘着剤を塗布しておき、コンベヤー１２０のベルト面に接したカードをこの粘着剤によって吸着し、回収することも考えられる。その場合、収納容器１３０におけるカードの挿入口の一辺をコンベヤー１２０のベルト面に当接させておき、コンベヤー１２０のベルト面に吸着して搬送されてきたカードをこの一辺にて掻き取るようにしてコンベヤー１２０から離脱させ、収納容器１３０に収納することになる。また、その場合、コンベヤー１１０のベルト面の全周に吸引穴１１１を形成するとともに、コンベヤー１１０の内部に吸引穴１１１を介して外部から内部に空気を吸引するバキューム部１１２を設け、コンベヤー１１０上を搬送されるカードをコンベヤー１１０のベルト面に吸着する必要はない。
【図面の簡単な説明】
【００４７】
【図１】本発明の媒体搬送装置の第１の実施の形態を示す図であり、（ａ）は外観斜視図、（ｂ）は（ａ）に示した矢印Ａ方向から見た図である。
【図２】図１に示した媒体搬送装置におけるシート状媒体の搬送動作を説明するための図である。
【図３】本発明の媒体搬送装置の第２の実施の形態を示す図であり、（ａ）は外観斜視図、（ｂ）は（ａ）に示した矢印Ａ方向から見た図である。
【図４】図３に示した媒体搬送装置におけるシート状媒体の搬送動作を説明するための図である。
【図５】図３に示した媒体搬送装置においてコンベヤー上に３枚のカードが重なり合ってフィードされた場合の動作を説明するための図である。
【符号の説明】
【００４８】
１ａ〜１ｇ，１０１ａ〜１０１ｊ    カード
１０，１１０，１２０    コンベヤー
１１，２１，１１１，１２１    吸引穴
１２，２２，１１２，１２２    バキューム部
２０    回収ローラ
２３    規制板
３０，１３０    収納容器
【図１】
2006062759.tif 000003
【図２】
2006062759.tif 000004
【図３】
2006062759.tif 000005
【図４】
2006062759.tif 000006
【図５】
2006062759.tif 000007